(57)【要約】【課題】本発明は、無線移動通信システムでメッセージを通信するための方法を提供する。【解決手段】本発明は、移動通信システムでメッセージを送受信することに関する。望ましくは、本発明は一つ以上のメッセージを送るための無線資源を要請する段階と、無線資源のための要請に対する回答を受信する段階と、第１ノードに第１階層連結を要請するための第１メッセージを送る段階と、第１階層連結を確立する前に第２ノードとの第２階層連結を要請するための第２メッセージを送る段階を含む。【選択図】図６
2009506623.tif 000002
【特許請求の範囲】
【請求項１】
移動通信システムでメッセージを通信するための方法において、
一つ以上のメッセージを送るために無線資源を要請する段階と;
無線資源要請に対する回答を受信する段階と;
第１ノードに第１階層連結を要請するための第１メッセージを送る段階と;及び
第１階層連結を確立する前に第２ノードとの第２階層連結を要請するための第２メッセージを送る段階と、を含むメッセージ通信方法。
【請求項２】
第１階層連結は、移動端末の下位階層と第１ノードとの間の連結であることを特徴とする請求項１に記載のメッセージ通信方法。
【請求項３】
第２階層連結は、移動端末の上位階層と第２ノードとの間の連結であることを特徴とする請求項１に記載のメッセージ通信方法。
【請求項４】
第２メッセージは、第１メッセージが送信された直後に送信されることを特徴とする請求項１に記載のメッセージ通信方法。
【請求項５】
第２メッセージは、第１メッセージと同時に送信されることを特徴とする請求項１に記載のメッセージ通信方法。
【請求項６】
第１階層連結を設定するために回答メッセージを受信する段階と;及び
第１階層連結の設定を示すための第３メッセージを送る段階を含んで、前記回答メッセージは第２階層連結を要請するための第２メッセージと関連されるフィードバック情報と、を含むことを特徴とする請求項１に記載のメッセージ通信方法。
【請求項７】
受信されたフィードバック情報が第２メッセージが成功的に送信されないことを示す場合に第２ノードとの第２階層連結を再要請する段階をさらに含むことを特徴とする請求項６に記載のメッセージ通信方法。
【請求項８】
第２階層連結は、第３メッセージが送信された以後に再要請されることを特徴とする請求項７に記載のメッセージ通信方法。
【請求項９】
第１階層連結はＲＲＣ連結であって、第２階層連結は信号連結であることを特徴とする請求項１に記載のメッセージ通信方法。
【請求項１０】
第１メッセージと第２メッセージは任意接続チャンネル(ＲＡＣＨ)で送信されることを特徴とする請求項１に記載のメッセージ通信方法。
【請求項１１】
第１メッセージが第１ノードによって成功的に受信されるかの可否によって前記第１ノードから回答メッセージを受信する段階をさらに含む請求項１に記載のメッセージ通信方法。
【請求項１２】
第１ノードは基地局を含むことを特徴とする請求項１に記載のメッセージ通信方法。
【請求項１３】
一つ以上のメッセージに送るための無線資源を要請する段階は、第１ノードにプリアンブルを送る段階を含むことを特徴とする請求項１に記載のメッセージ通信方法。
【請求項１４】
第１メッセージと第２メッセージは無線資源制御(ＲＲＣ)メッセージであることを特徴とする請求項１に記載のメッセージ通信方法。
【請求項１５】
第１メッセージと第２メッセージは、無線リンク制御(ＲＬＣ)メッセージであることを特徴とする請求項１に記載のメッセージ通信方法。
【請求項１６】
第１メッセージは無線資源制御(ＲＲＣ)連結要請メッセージであり、第２メッセージはＩＤＴメッセージであることを特徴とする請求項１に記載のメッセージ通信方法。
【請求項１７】
移動通信システムでメッセージを通信するための方法において、
一つ以上のメッセージを送るために無線資源を要請する段階と;
無線資源要請に対する回答を送る段階と;
第１ノードに対する第１階層連結を要請するための第１メッセージを受信する段階と;及び
第１階層連結を確立する前に第２ノードとの第２階層連結を要請するための第２メッセージを受信する段階と、を含むことを特徴とするメッセージ通信方法。
【請求項１８】
第１階層連結は移動端末の下位階層と第１ノードとの間の連結であることを特徴とする請求項１７に記載のメッセージ通信方法。
【請求項１９】
第２階層連結は移動端末の上位階層と第２ノードとの間の連結であることを特徴とする請求項１７に記載のメッセージ通信方法。
【請求項２０】
第１階層連結を確立するための回答メッセージを送る段階と;及び第１階層連結の確立を示すための第３メッセージを受信する段階をさらに含んで、前記回答メッセージは第２階層連結を要請するための第２メッセージと関連されるフィードバック情報を含むことを特徴とする請求項１７に記載のメッセージ通信方法。
【請求項２１】
受信されたフィードバック情報が第２メッセージが成功的に送信されないことを示す場合に第２ノードとの第２階層連結を再要請するためのメッセージを受信する段階をさらに含む請求項２０に記載のメッセージ通信方法。
【請求項２２】
第２階層連結を再要請するためのメッセージは、第３メッセージが受信された以後に受信されることを特徴とする請求項２１に記載のメッセージ通信方法。
【請求項２３】
第１階層連結は無線資源制御(ＲＲＣ)連結であって、第２階層連結は信号連結であることを特徴とする請求項１７に記載のメッセージ通信方法。
【請求項２４】
第１メッセージと第２メッセージは任意接続チャンネル(ＲＡＣＨ)で受信されることを特徴とする請求項１７に記載のメッセージ通信方法。
【請求項２５】
第１メッセージが第１ノードによって成功的に受信されるかの可否によって前記第１ノードから回答メッセージを受信する段階をさらに含むことを特徴とする請求項１７に記載のメッセージ通信方法。
【請求項２６】
第１ノードは基地局を含むことを特徴とする請求項１７に記載のメッセージ通信方法。
【請求項２７】
一つ以上のメッセージで受信するために無線資源のための要請を受信する段階は、第１ノードにプリアンブルを受信する段階を含むことを特徴とする請求項１７に記載のメッセージ通信方法。
【請求項２８】
第１メッセージと第２メッセージは、無線資源制御(ＲＲＣ)メッセージであることを特徴とする請求項１７に記載のメッセージ通信方法。
【請求項２９】
第１メッセージと第２メッセージは無線リンク制御(ＲＬＣ)メッセージであることを特徴とする請求項１７に記載のメッセージ通信方法。
【請求項３０】
第１メッセージは無線資源制御(ＲＲＣ)連結要請メッセージであり、第２メッセージはＩＤＴメッセージであることを特徴とする請求項１７に記載のメッセージ通信方法。
【請求項３１】
移動通信システムでメッセージを通信するための移動端末において、
一つ以上のメッセージを送るために無線資源を要請するプロセッサ(processor)と;
無線資源要請に対する回答を受信するために前記プロセッサによって制御される受信機(receiver)と;及び
第１ノードに対する第１階層連結を要請するための第１メッセージを送って、第１階層連結を確立する前に第２ノードとの第２階層連結を要請するための第２メッセージを送るために前記プロセッサによって制御される送信機(transmitter)を含むことを特徴とする移動端末。
【請求項３２】
第１階層連結は移動端末の下位階層と第１ノードとの間の連結であることを特徴とする請求項３１に記載の移動端末。
【請求項３３】
第２階層連結は移動端末の上位階層と第２ノードとの間の連結であることを特徴とする請求項３１に記載の移動端末。
【請求項３４】
第２メッセージは第１メッセージが送信された直後に送信されることを特徴とする請求項３１に記載の移動端末。
【請求項３５】
第２メッセージは第１メッセージと同時に送信されることを特徴とする請求項３１に記載の移動端末。
【請求項３６】
受信機は第１階層連結を確定するための回答メッセージを受信して、送信機は第１階層連結の確定のための第３メッセージを送って、前記回答メッセージは第２階層連結を要請するための第２メッセージと関連されるフィードバック情報を含むことを特徴とする請求項３１に記載の移動端末。
【請求項３７】
受信されたフィードバック情報が第２メッセージが成功的に送信されないことを示す場合にプロセッサは第２ノードとの第２階層連結を再要請することを特徴とする請求項３６に記載の移動端末。
【請求項３８】
第２階層連結は第３メッセージが送信された以後に再要請されることを特徴とする請求項３７に記載の移動端末。
【請求項３９】
第１階層連結は無線資源制御(ＲＲＣ)連結であって、第２階層連結は信号連結であることを特徴とする請求項３１に記載の移動端末。
【請求項４０】
第１メッセージと第２メッセージは任意接続チャンネル(ＲＡＣＨ)で送信されることを特徴とする請求項３１に記載の移動端末。
【請求項４１】
受信機は第１メッセージが第１ノードによって成功的に受信されるかの可否によって前記第１ノードから回答メッセージを受信することを特徴とする請求項３１に記載の移動端末。
【請求項４２】
第１ノードは基地局を含むことを特徴とする請求項３１に記載の移動端末。
【請求項４３】
送信機は第１ノードにプリアンブルを送ることで一つ以上のメッセージを送るための無線資源を要請することを特徴とする請求項３１に記載の移動端末。
【請求項４４】
第１メッセージと第２メッセージは、無線資源制御(ＲＲＣ)メッセージであることを特徴とする請求項３１に記載の移動端末。
【請求項４５】
第１メッセージと第２メッセージは、無線リンク制御(ＲＬＣ)メッセージであることを特徴とする請求項３１に記載の移動端末。
【請求項４６】
第１メッセージは無線資源制御(ＲＲＣ)連結要請メッセージであり、第２メッセージはＩＤＴメッセージであることを特徴とする請求項３１に記載の移動端末。
【発明の詳細な説明】
【技術分野】
【０００１】
本発明は、無線移動通信システムに関し、より詳細には、無線移動通信システムでメッセージを通信するための方法に関する。
【背景技術】
【０００２】
図１は、汎用移動通信システム(ＵＭＴＳ：Universal Mobile Telecommunications System)のネットワーク構造のブロックダイアグラムである。図１を参照すると、ＵＭＴＳは大きく端末(ＵＥ：userequipment)、汎用移動通信システム無線接続網(ＵＴＲＡＮ：ＵＭＴＳ terrestrial radio access network)、及び核心網(ＣＮ：corenetwork)を含んで構成される。
【０００３】
ＵＴＲＡＮは、一つ以上の無線網副システム(ＲＮＳ：radio network sub-system)を含む。ＲＮＳは一つの無線網制御器(ＲＮＣ：radio networkcontroller)と前記ＲＮＣによって管理される一つ以上の基地局(Node B)を含んで構成される。一つのNode Bには一つ以上のセル(cell)が存在する。
【０００４】
図２は、３ＧＰＰ無線接続網の規格を基盤にした端末とＵＴＲＡＮとの間の無線インターフェースプロトコルの構造ダイヤグラムである。図２を参照すると、無線インターフェースプロトコルは物理階層(physical layer)、データリンク階層(data link layer)及びネットワーク階層(network layer)を垂直的に含む。水平的には、無線インターフェースプロトコルは、データ情報送信のための使用者平面(userplane)と信号伝達のための制御平面(control plane)を含む。図２のプロトコル階層は通信システム分野に広く知られた開放型システム間の相互接続(ＯＳＩ：OpenSystem Interconnection)基準モデルの下位３個の階層を基礎にして第１階層(L１)、第２階層(L２)及び第３階層(L３)に区分されることができる。
【０００５】
図２の個個の階層は、下記のように説明される。先ず、第１階層である物理階層(ＰＨＹ)は物理チャンネル(physical channel)を利用して上位階層に情報送信サービスを提供する。媒体接続制御(ＭＡＣ)階層は、物理階層上に配置される。物理階層(ＰＨＹ)は、送信チャンネル(transportchannel)を通じて媒体接続制御階層と連結されて、データは前記送信チャンネルを通じて媒体接続制御階層と物理階層との間で送信される。併せて、お互いに異なる物理階層らの間、特に送信側の物理階層と受信側の他の物理階層の間では物理チャンネルを通じてデータが送信される。
【０００６】
第２階層の媒体接続制御階層は論理チャンネル(logical channel)を通じて自分より上に位置する無線リンク制御(ＲＬＣ)階層でサービスを提供する。第２階層の無線リンク制御階層は信頼性があるデータ送信を支援して上位階層から送信されたＲＬＣサービスデータ単位(ＳＤＵ：servicedata unit)の分割及び連結(segmentation and concatenation)を遂行する。
【０００７】
第３階層の最下部段階に位置した無線資源制御(ＲＲＣ：Radio Resource Control)階層は、制御平面のみで定義されて、無線ベアラー(ＲＢ：Radio Bearer)らの設定、再設定及び解除と関連されて論理チャンネル、送信チャンネル及び物理チャンネルの制御を担当する。この場合において、ＲＢはＵＥとＵＴＲＡＮとの間のデータ伝達のために第２階層によって提供されるサービスを示す。そして、ＲＢの設定は特定サービスを提供するために必要なプロトコル階層及びチャンネルの特性を制御するための過程と、具体的なパラメーター及び動作方法を設定する過程をそれぞれ示す。
【０００８】
以下、ＲＲＣ連結と信号連結をさらに詳しく説明する。先ず、端末は通話を開始するためにＵＴＲＡＮとＲＲＣ連結をなしてＣＮと信号連結をなす。端末はＲＲＣ連結と信号連結を通じてＵＴＲＡＮと端末専用制御情報を交換する。図３はＲＲＣ連結のために端末とＲＮＣとの間に交換されるメッセージを送って、信号連結をするためのＩＤＴ(Initial Direct Transfer)メッセージを送るための過程の流れ図である。
【０００９】
図３を参照すると、ＲＲＣ連結過程のために、端末はＲＲＣ連結要請メッセージをＲＮＣに送る(Ｓ１１)。以後、ＲＮＣはＲＲＣ連結設定メッセージを前記ＲＲＣ連結要請メッセージに対する回答で端末に送る(Ｓ１２)。続いて、前記端末はＲＲＣ連結設定完了メッセージをＲＮＣに送る(Ｓ１３)。前記過程が成功的な完了以後に、ＲＲＣ連結が端末とＲＮＣとの間に設定される。ＲＲＣ連結が生成された以後に、端末はＩＤＴメッセージを送ることで信号連結を設定するための過程を開始する(Ｓ１４)。
【００１０】
以下、ＷＣＤＭＡのように非同期式移動通信システムの送信チャンネルである任意接近チャンネル(ＲＡＣＨ：Random Access Channel)を説明する。ＲＡＣＨは短い長さのデータを上向きで送るために使用される。ＲＲＣ連結要請メッセージ、セル更新メッセージ(cellupdate message)、ＵＲＡ更新メッセージなどのようなＲＲＣメッセージがＲＡＣＨを通じて送信されることができる。共通制御チャンネル(ＣＣＣＨ)、専用制御チャンネル(ＤＣＣＨ)、または専用トラフィックチャンネル(ＤＴＣＨ)のような論理チャンネルは送信チャンネルＲＡＣＨにマッピングされることができる。また、送信チャンネルＲＡＣＨは物理任意接近チャンネル(ＰＲＡＣＨ)のような物理チャンネルにマッピングされることができる。
【００１１】
図４は従来技術による物理チャンネルＰＲＡＣＨの送信方法を示すダイヤグラムである。図４を参照すると、上向き物理チャンネルＰＲＡＣＨはプリアンブル部分(preamble part)とメッセージ部分に分けられる。プリアンブル部分はメッセージ送信のために使用される適切な送信電力を調整するための電力ランピング機能(powerramping function)を遂行する。また、プリアンブル部分はいくつかの端末らの間に衝突を防止するための機能を遂行する。メッセージ部分は媒体接続制御階層から物理チャンネルに伝達したＭＡＣＰＤＵ(Packet Data Unit)を送る。
【００１２】
端末のＭＡＣ階層が端末の物理階層にＰＲＡＣＨ送信を命令すると、端末の物理階層は先に一つの接続スロットと一つのシグナチャーを選択した後ＰＲＡＣＨプリアンブルを基地局(Node B)に上向き送る。プリアンブルは１.３３msの接続スロット区間の間に送信される。一つのシグナチャーが１６種のシグナチャーのうちで選択されて、以後接続スロットの最初所定の長さの間に送信される。
【００１３】
端末がプリアンブルを送る場合なら、基地局はＡＩＣＨ(acquisition indicator channel)のような下向き物理チャンネルを通じて回答信号を送る。プリアンブルに対する回答でＡＩＣＨを通じて送信された回答信号はプリアンブルによって送信された以前接続スロットに対応する接続スロットの最初所定の長さの間にプリアンブルによって選択されたシグナチャーを送る。このような場合において、基地局はＡＩＣＨによって送信されるシグナチャーを通じて肯定回答(ＡＣＫ)または不正回答(ＮＡＣＫ)を端末に送る。
【００１４】
端末が肯定回答(ＡＣＫ)を受信すると、端末は送信されたシグナチャーに対応する直交可変拡散率(ＯＶＳＦ：OrthogonalVariable Spreading Factor)コードを利用して、１０msまたは２０msの長さを有するメッセージ部分を送る。端末が不正回答(ＮＡＣＫ)を受信すると、端末のＭＡＣ階層は適切な期間が過ぎた以後に端末の物理階層にＰＲＡＣＨ送信を繰り返すことを命令する。一方、端末が送信されたプリアンブルに対応するＡＩＣＨ通じて回答信号を受信することができなかったら、端末は以前プリアンブルの電力より一段階高い電力を利用して、新しいプリアンブルを一定接続スロット以後に送る。
【００１５】
図５は、従来技術による下向き物理チャンネルＡＩＣＨの構造ダイヤグラムである。図５を参照すると、下向き物理チャンネルＡＩＣＨは５１２０チップ長さを有する接続スロット間に１６シンボルシグナチャーSi(i=０．．．１５)を送る。このような場合において、端末はS０ないしＳ１５であるシグナチャーのうちで任意のシグナチャーSiを選択して、接続スロットの最初の４０９６チップ長さの間に前記シグナチャーを送って、残り１０２４チップ長さを有する接続スロットの間にどのようなシンボルも送らない送信電力“OFF”区間で設定する。一方、上向き物理チャンネルＰＲＡＣＨのプリアンブル部分は図４に示すものと類似な方式で最初の４０９６チップ長さの間に１６シンボルシグナチャーSi(i=０．．．１５)を送る。
【００１６】
しかし、従来技術のＲＡＣＨ送信方式において、長い長さを有するＭＡＣＰＤＵをＲＡＣＨを通じて送ろうとする場合にＲＡＣＨ送信電力が上昇されなければならない。よって、従来技術はセル領域の減る問題がある。また、長い長さのメッセージを送るのに限界があるので、ＲＡＣＨを利用する初期設定過程が延長される。
【発明の開示】
【発明が解決しようとする課題】
【００１７】
本発明は、移動通信システムでメッセージを通信するためのものである。
【００１８】
本発明の追加的な特徴及び長所は下に説明されて、部分的に詳細な説明から明確であって、本発明の実施例を通じて学習されることができる。本発明の目的及びその他の長所は発明の詳細な説明と特許請求範囲だけでなく、添付された図面に詳しく記載した構造によって実現されて達成される。
【００１９】
本発明の目的を達成するための本発明の一実施例によると、移動通信システムでメッセージを通信するための方法は、一つ以上のメッセージを送るために無線資源を要請する段階と;無線資源要請に対する回答を受信する段階と;第１ノードに対する第１階層連結を要請するための第１メッセージを送る段階と;及び第１階層連結を確立する前に第２ノードとの第２階層連結を要請するための第２メッセージを送る段階と、を含む。
【００２０】
望ましくは、第１階層連結は移動端末の下位階層と第１ノードとの間の連結である。望ましくは、第２階層連結は移動端末の上位階層と第２ノードとの間の連結である。望ましくは、第２メッセージは第１メッセージが送信された直後に送信される。代案として、第２メッセージは第１メッセージと同時に送信される。
【００２１】
本発明の一態様において、前記方法は第１階層連結を確立するための回答メッセージを受信する段階と;及び第１階層連結の確立を示すための第３メッセージを送る段階をさらに含んで、前記回答メッセージは第２階層連結を要請するための第２メッセージと関連されるフィードバック情報を含む。望ましくは、前記方法は第２メッセージが成功的に送信されないことを受信されたフィードバック情報が示す場合に第２ノードとの第２階層連結を再要請する段階をさらに含む。望ましくは、第２階層連結は第３メッセージが送信された以後に再要請される。
【００２２】
望ましくは、第１階層連結はＲＲＣ連結であって、第２階層連結は信号連結である。望ましくは、第１メッセージと第２メッセージはＲＡＣＨに送信される。
【００２３】
望ましくは、前記方法は第１メッセージが第１ノードによって成功的に受信されるかの可否と関連される第１ノードからの回答メッセージを受信する段階をさらに含む。
【００２４】
望ましくは、第１ノードが基地局を含んで構成される。
【００２５】
望ましくは、一つ以上のメッセージを送るために無線資源を要請する段階はプリアンブルを第１ノードに送る段階を含む。
【００２６】
望ましくは、第１メッセージと第２メッセージとは、ＲＲＣメッセージである。代案として、第１メッセージと第２メッセージはＲＬＣメッセージである。望ましくは、第１メッセージはＲＲＣ連結要請メッセージであって、第２メッセージはＩＤＴメッセージである。
【００２７】
本発明の他の実施例によると、移動通信システムでメッセージを通信するための方法は、一つ以上のメッセージを送るために無線資源を要請する段階と;無線資源要請に対する回答を送る段階と;第１ノードに対する第１階層連結を要請するための第１メッセージを受信する段階と;及び第１階層連結を確立する前に第２ノードとの第２階層連結を要請するための第２メッセージを受信する段階と、を含む。
【００２８】
望ましくは、第１階層連結は移動端末の下位階層と第１ノードとの間の連結である。望ましくは、第２階層連結は移動端末の上位階層と第２ノードとの間の連結である。
【００２９】
本発明の一態様において、前記方法は第１階層連結を確立するための回答メッセージを送る段階と;及び第１階層連結の確立を示すための第３メッセージを受信する段階と、をさらに含んで、前記回答メッセージは第２階層連結を要請するための第２メッセージと関連されるフィードバック情報を含む。望ましくは、前記方法は第２メッセージが受信されないことを送信されたフィードバック情報が示す場合に第２ノードとの第２階層連結を再要請するためのメッセージを受信する段階と、をさらに含む。望ましくは、第２階層連結を再要請するためのメッセージは第３メッセージが受信された以後に受信される。
【００３０】
望ましくは、第１階層連結はＲＲＣ連結であって、第２階層連結は信号連結である。望ましくは、第１メッセージと第２メッセージはＲＡＣＨに受信される。
【００３１】
望ましくは、前記方法は第１メッセージが第１ノードによって成功的に受信されるかの可否と関連される第１ノードからの回答メッセージを送る段階をさらに含む。
【００３２】
望ましくは、第１ノードが基地局を含む。
【００３３】
望ましくは、一つ以上のメッセージを送るために無線資源を要請する段階は第１ノードでプリアンブルを受信する段階を含む。
【００３４】
望ましくは、第１メッセージと第２メッセージはＲＲＣメッセージである。代案として、第１メッセージと第２メッセージはＲＬＣメッセージである。望ましくは、第１メッセージはＲＲＣ連結要請メッセージであって、第２メッセージはＩＤＴメッセージである。
【００３５】
本発明のまた他の実施例によると、移動通信システムでメッセージを通信するための移動端末は、一つ以上のメッセージを送るために無線資源を要請するプロセッサ(processor)と;無線資源要請に対する回答を受信するために前記プロセッサによって制御される受信機(receiver)と;第１ノードに対する第１階層連結を要請するための第１メッセージを送って、第１階層連結を確立する前に第２ノードとの第２階層連結を要請するための第２メッセージを送るために前記プロセッサによって制御される送信機(transmitter)を含む。
【００３６】
望ましくは、第１階層連結は移動端末の下位階層と第１ノードとの間の連結である。望ましくは、第２階層連結は移動端末の上位階層と第２ノードとの間の連結である。望ましくは、第２メッセージは第１メッセージが送信された直後に送信される。代案として、第２メッセージは第１メッセージと同時に送信される。
【００３７】
本発明の一態様において、受信機は第１階層連結を確立するための回答メッセージを受信して、送信機は第１階層連結の確立を示すための第３メッセージを送って、前記回答メッセージは第２階層連結を要請するための第２メッセージと関連されるフィードバック情報を含む。望ましくは、プロセッサは第２メッセージが成功的に送信されないことを受信されたフィードバック情報が示す場合に第２ノードとの第２階層連結を再要請する。
【００３８】
望ましくは、第２階層連結は第３メッセージが送信された以後に再要請される。望ましくは、第１階層連結はＲＲＣ連結であって、第２階層連結は信号連結である。望ましくは、第１メッセージと第２メッセージはＲＡＣＨに送信される。
【００３９】
望ましくは、受信機は第１メッセージが第１ノードによって成功的に受信されるかの可否と関連される第１ノードからの回答メッセージを受信する。
【００４０】
望ましくは、第１ノードが基地局を含む。
【００４１】
望ましくは、送信機はプリアンブルを第１ノードに送ることで一つ以上のメッセージを送るために無線資源を要請する。
【００４２】
望ましくは、第１メッセージと第２メッセージとはＲＲＣメッセージである。代案として、第１メッセージと第２メッセージはＲＬＣメッセージである。望ましくは、第１メッセージはＲＲＣ連結要請メッセージであって、第２メッセージはＩＤＴメッセージである。
【００４３】
本発明の一般的な記載と詳細な説明すべては例示的なものであって、請求されたところのように本発明の追加的な例を提供するためであることを主旨しなければならない。
【発明の効果】
【００４４】
本発明の無線端末は、共通アップリンクチャンネルを通じて適切な送信電力を有する長い長さのメッセージを送ることができる。また、端末がアップリンク共通チャンネルを通じてメッセージを送る場合に、基地局(Node B)は前記メッセージに速かに回答することができる。
【発明を実施するための最良の形態】
【００４５】
本発明は、移動通信システムでメッセージを通信することに関する。添付された図面を参照にして本発明の望ましい実施例らと共にさらに詳しく説明する。
【００４６】
図６は、本発明の一実施例によってメッセージを通信するための方法を示す流れ図である。図６を参照すると、端末は２個のＲＡＣＨメッセージを通じて送るために一つのＲＲＣメッセージを２個のＲＲＣＰＤＵに分けることができる。または、端末は送るために２個のＲＲＣメッセージに該当する２個のＲＲＣ ＰＤＵを２個のＲＡＣＨメッセージに添付することができる。望ましくは、２個のＲＡＣＨメッセージすべてが最初送信で成功的に送信される。
【００４７】
端末ＲＲＣ階層は、ＲＬＣ-ＤＡＴＡ-ＲＥＱプリミティブを通じて最初に送信されるＲＡＣＨメッセージに含まれる第１ＲＲＣ ＰＤＵをＲＬＣ階層に伝達する[Ｓ１００]。以後、ＲＬＣ階層は第１ＲＲＣＰＤＵからＲＬＣ ＰＤＵを生成してＭＡＣ-ＤＡＴＡ-ＲＥＱプリミティブを通じて前記ＲＬＣ ＰＤＵをＭＡＣ階層に伝達する[Ｓ１０１]。
【００４８】
ＭＡＣ階層はＲＡＣＨ過程を開始する。ＲＡＣＨ過程において、ＭＡＣ階層はＲＲＣ階層で設定した確率によって送信可否を決定する連続性テストを少なくとも一回遂行する。望ましくは、ＭＡＣ階層は所定の時間が経った以後にＰＨＹ-ＡＣＣＥＳＳ-ＲＥＱプリミティブを通じて物理階層にＰＲＡＣＨ送信過程を開始することを命令する[Ｓ１０２]。
【００４９】
端末の物理階層はＰＲＡＣＨ送信過程を開始する。こういう間に、物理階層はＰＲＡＣＨプリアンブルを基地局(Node B)に送る[Ｓ１０３]。基地局からプリアンブルに対する回答が一定時間の間にない場合に、物理階層は送信電力を所定の水準に増加させてプリアンブルを再び送る。
【００５０】
基地局がプリアンブルを受信した場合に、基地局の物理階層はＡＩＣＨを通じてプリアンブルに回答する信号を送る[Ｓ１０４]。端末がＡＩＣＨを通じてプリアンブルに回答するＡＣＫを受信したら、端末の物理階層はＰＨＹ-ＡＣＣＥＳＳ-ＣＮＦプリミティブを通じて確認されたプリアンブルを端末ＭＡＣ階層に知らせてくれる[Ｓ１０５]。以後、端末ＭＡＣ階層は第１ＲＲＣＰＤＵを含んだＭＡＣ ＰＤＵをＰＨＹ-ＤＡＴＡ-ＲＥＱプリミティブを通じて端末物理階層に伝達する[Ｓ１０６]。以後に、端末はＰＲＡＣＨメッセージ部分を通じて第１ＲＲＣＰＤＵを含んだＭＡＣ ＰＤＵを基地局(Node B)に送る[Ｓ１０７]。
【００５１】
基地局(NodeB)は受信されたＰＲＡＣＨメッセージのＣＲＣ(Cyclic Redundancy Check)などを遂行することで第１ＲＲＣ ＰＤＵを含んだＭＡＣ ＰＤＵが正確に受信されるかの可否を判断する。第１ＲＲＣＰＤＵを含んだＭＡＣ ＰＤＵが正確に受信された場合に、基地局(Node B)はＰＲＡＣＨメッセージ部分が正確に受信されたことを示すためにＭＳＧ-ＡＣＫチャンネルを通じてＡＣＫを端末に送る[Ｓ１０８]。第１ＲＲＣＰＤＵを含んだＭＡＣ ＰＤＵが正確に受信されることができなかった場合に、基地局(Node B)はＭＳＧ-ＡＣＫチャンネルを通じてＮＡＣＫを送るか、または該当接続スロットにどのような情報も送らない。
【００５２】
第１ＲＲＣ ＰＤＵを含んだＭＡＣ ＰＤＵが正確に受信された場合に、基地局(Node B)は第１ＲＲＣ ＰＤＵを含んだ成功的に受信されたＭＡＣ ＰＤＵをＲＡＣＨフレームプロトコル(ＲＡＣＨ ＦＰ)を通じてＲＮＣに伝達する。よって、ＭＡＣＰＤＵに含まれた第１ＲＲＣ ＰＤＵがＲＮＣのＲＲＣ階層に伝達する[Ｓ１０９]。
【００５３】
望ましくは、端末物理階層は第１ＲＲＣ ＰＤＵを含んだＭＡＣＰＤＵが成功的に送信されたことをＰＨＹ-ＤＡＴＡ-ＣＮＦプリミティブを通じて端末ＭＡＣ階層に知らせてくれる[Ｓ１１０]。続いて、端末ＭＡＣ階層は第１ＲＲＣＰＤＵが成功的に送信されたことをＣＭＡＣ-ＳＴＡＴＵＳ-ＩＮＤプリミティブを通じて端末ＲＲＣ階層に知らせてくれる[Ｓ１１１]。
【００５４】
望ましくは、端末ＲＲＣ階層は二番目に送信されるＲＡＣＨメッセージに含まれた第２ＲＲＣＰＤＵをＲＬＣ-ＤＡＴＡ-ＲＥＱプリミティブを通じて端末ＲＬＣ階層に伝達する[Ｓ１１２]。続いて、端末ＲＬＣ階層は第２ＲＲＣＰＤＵからＲＬＣ ＰＤＵを生成して、前記ＲＬＣ ＰＤＵをＭＡＣ-ＤＡＴＡ-ＲＥＱプリミティブを通じて端末ＭＡＣ階層に伝達する[Ｓ１１３]。
【００５５】
望ましくは、端末ＭＡＣ階層はＲＡＣＨ過程を開始する。この過程の間に、端末ＭＡＣ階層はＲＲＣ階層で設定された確率によって送信可否を決定する連続性テストを一回以上実施する。望ましくは、端末ＭＡＣ階層は所定の時間が経った以後にＰＨＹ-ＡＣＣＥＳＳ-ＲＥＱプリミティブを通じて物理階層にＰＲＡＣＨ送信過程を開始することを命令する[Ｓ１１４]。代案として、二番目のＲＡＣＨ過程と以後のＲＲＣＰＤＵ送信に対して、端末ＭＡＣ階層は連続性テストなしにまたは所定のバックオフ時間以後にＰＨＹ-ＡＣＣＥＳＳ-ＲＥＱプリミティブを通じてＰＲＡＣＨ送信過程を直ちに始めることを物理階層に指示することができる。
【００５６】
端末物理階層はＰＲＡＣＨ送信過程を開始する。したがって、端末物理階層はＰＲＡＣＨプリアンブルを送る[Ｓ１１５]。一定時間の間プリアンブルに対する回答が受信されない場合に、端末物理階層は送信電力を所定の水準に増加させてもう一度前記プリアンブルを送る。基地局(NodeB)がプリアンブルを受信した場合に、基地局(Node B)の物理階層はＡＩＣＨを通じてプリアンブルに回答する信号を送る[Ｓ１１６]。端末がＡＩＣＨを通じてプリアンブルに回答するＡＣＫを受信する場合に、端末の物理階層はＰＨＹ-ＡＣＣＥＳＳ-ＣＮＦプリミティブを通じてプリアンブルのＡＣＫを端末ＭＡＣ階層に知らせてくれる[Ｓ１１７]。
【００５７】
以後、端末ＭＡＣ階層は第２ＲＲＣ ＰＤＵを含んだＭＡＣＰＤＵをＰＨＹ-ＤＡＴＡ-ＲＥＱプリミティブを通じて端末物理階層に伝達する[Ｓ１１８]。続いて、端末は第２ＲＲＣ ＰＤＵを含んだＭＡＣＰＤＵをＰＲＡＣＨメッセージ部分を通じて基地局(Node B)に送る[Ｓ１１９]。
【００５８】
基地局(NodeB)は受信されたＰＲＡＣＨメッセージのＣＲＣ(Cyclic Redundancy Check)などを遂行することで第２ＲＲＣ ＰＤＵを含んだＭＡＣ ＰＤＵが正確に受信されるかの可否を判断する。第２ＲＲＣＰＤＵを含んだＭＡＣ ＰＤＵが正確に受信された場合に、基地局(Node B)はＰＲＡＣＨメッセージ部分が正確に受信されたことを示すためにＭＳＧ-ＡＣＫチャンネルを通じてＡＣＫを端末に送る[Ｓ１２０]。第２ＲＲＣＰＤＵを含んだＭＡＣ ＰＤＵが正確に受信されることができなかった場合に、基地局(Node B)はＭＳＧ-ＡＣＫチャンネルを通じてＮＡＣＫを送るか、または該当の接続スロットにどのような情報も送らない。
【００５９】
第２ＲＲＣ ＰＤＵを含んだＭＡＣ ＰＤＵが正確に受信された場合に、基地局(Node B)は第２ＲＲＣ ＰＤＵを含んだ成功的に受信されたＭＡＣ ＰＤＵをＲＡＣＨフレームプロトコル(ＲＡＣＨ ＦＰ)を通じてＲＮＣに伝達する。以後、ＭＡＣＰＤＵに含まれた第２ＲＲＣ ＰＤＵがＲＮＣのＲＲＣ階層に伝達する[Ｓ１２１]。よって、ＲＮＣのＲＲＣ階層は端末ＲＲＣ階層によって送信されたＲＲＣメッセージを受信された第１ＲＲＣＰＤＵ及び第２ＲＲＣ ＰＤＵから獲得する。
【００６０】
望ましくは、端末物理階層は第２ＲＲＣ ＰＤＵを含んだＭＡＣＰＤＵが成功的に送信されたことをＰＨＹ-ＤＡＴＡ-ＣＮＦプリミティブを通じて端末ＭＡＣ階層に知らせてくれる[Ｓ１２２]。続いて、端末ＭＡＣ階層は第２ＲＲＣＰＤＵが成功的に送信されたことをＣＭＡＣ-ＳＴＡＴＵＳ-ＩＮＤプリミティブを通じて端末ＲＲＣ階層に知らせてくれる[Ｓ１２３]。
【００６１】
図７は、本発明の一実施例によるメッセージを通信するための方法を示す流れ図である。図７を参照すると、端末は２個のＲＡＣＨメッセージとして送るために一つの上位階層ＰＤＵを２個のＲＲＣＰＤＵで分けることができる。または、端末は２個の上位階層ＰＤＵに該当する２個のＲＲＣ ＰＤＵをお互いにつながった２個のＲＡＣＨメッセージとして送ることができる。望ましくは、２個のＲＡＣＨメッセージすべてが最初の送信で成功的に送信される。
【００６２】
端末ＲＲＣ階層は第１ＲＬＣ ＰＤＵを生成して、これをＭＡＣ-ＤＡＴＡ-ＲＥＱプリミティブを通じてＭＡＣ階層に伝達する[Ｓ１３１]。ＭＡＣ階層はＲＡＣＨ過程を開始する。ＲＡＣＨ過程において、ＭＡＣ階層はＲＲＣ階層で設定した確率によって送信可否を決定する連続性テストを少なくとも一回以上遂行する。望ましくは、ＭＡＣ階層は所定の時間が経った以後にＰＨＹ-ＡＣＣＥＳＳ-ＲＥＱプリミティブを通じて物理階層にＰＲＡＣＨ送信過程を開始することを指示する[Ｓ１３２]。
【００６３】
端末の物理階層は、ＰＲＡＣＨ送信過程を開始する。ＰＲＡＣＨ送信過程の間に、物理階層はＰＲＡＣＨプリアンブルを基地局(Node B)に送る[Ｓ１３３]。基地局からプリアンブルに対する回答が一定時間の間にない場合に、物理階層は送信電力を所定の水準に増加させた後もう一度プリアンブルを送る。
【００６４】
基地局がプリアンブルを受信した場合に、基地局の物理階層はプリアンブルに回答する信号をＡＩＣＨを通じて送る[Ｓ１３４]。端末がＡＩＣＨを通じてプリアンブルに回答するＡＣＫを受信したら、端末の物理階層はプリアンブルのＡＣＫをＰＨＹ-ＡＣＣＥＳＳ-ＣＮＦプリミティブを通じて端末ＭＡＣ階層に知らせてくれる[Ｓ１３５]。
【００６５】
続いて、端末ＭＡＣ階層は第１ＲＲＣ ＰＤＵを含んだＭＡＣＰＤＵをＰＨＹ-ＤＡＴＡ-ＲＥＱプリミティブを通じて端末物理階層に伝達する[Ｓ１３６]。以後に、端末はＰＲＡＣＨメッセージ部分を通じて第１ＲＲＣＰＤＵを含んだＭＡＣ ＰＤＵを基地局(Node B)に送る[Ｓ１３７]。
【００６６】
基地局(NodeB)は受信されたＰＲＡＣＨメッセージのＣＲＣ(Cyclic Redundancy Check)などを遂行することで、第１ＲＲＣ ＰＤＵを含んだＭＡＣ ＰＤＵが正確に受信されるかの可否を判断する。第１ＲＲＣＰＤＵを含んだＭＡＣ ＰＤＵが正確に受信された場合に、基地局(Node B)はＰＲＡＣＨメッセージ部分が正確に受信されたことを示すためにＭＳＧ-ＡＣＫチャンネルを通じてＡＣＫを端末に送る[Ｓ１３８]。第１ＲＲＣＰＤＵを含んだＭＡＣ ＰＤＵが正確に受信されることができなかった場合に、基地局(Node B)はＭＳＧ-ＡＣＫチャンネルを通じてＮＡＣＫを送るか、または該当の接続スロットにどのような情報も送らない。
【００６７】
第１ＲＲＣ ＰＤＵを含んだＭＡＣ ＰＤＵが正確に受信された場合に、基地局(Node B)は第１ＲＲＣ ＰＤＵを含んだ成功的に受信されたＭＡＣ ＰＤＵをＲＡＣＨフレームプロトコル(ＲＡＣＨ ＦＰ)を通じてＲＮＣに伝達する。以後、ＭＡＣＰＤＵに含まれた第１ＲＲＣ ＰＤＵがＲＮＣのＲＬＣ階層に伝達する[Ｓ１３９]。
【００６８】
端末物理階層は第１ＲＲＣ ＰＤＵを含んだＭＡＣ ＰＤＵが成功的に送信されたことをＰＨＹ-ＤＡＴＡ-ＣＮＦプリミティブを通じて端末ＭＡＣ階層に知らせてくれる[Ｓ１４０]。続いて、端末ＭＡＣ階層は第１ＲＲＣ ＰＤＵが成功的に送信されたことをＣＭＡＣ-ＳＴＡＴＵＳ-ＩＮＤプリミティブを通じて端末ＲＬＣ階層に知らせてくれる[Ｓ１４１]。
【００６９】
望ましくは、端末ＲＬＣ階層は第２ＲＬＣ ＰＤＵをＭＡＣ-ＤＡＴＡ-ＲＥＱプリミティブを通じて端末ＭＡＣ階層に伝達する[Ｓ１４２]。端末ＲＬＣ階層がＲＡＣＨ過程を開始する。この過程の間に、端末ＭＡＣ階層はＲＲＣ階層によって設定された確率によって送信可否を決定する連続性テストを一回以上実施する。望ましくは、端末ＭＡＣ階層は所定の時間が経った以後にＰＨＹ-ＡＣＣＥＳＳ-ＲＥＱプリミティブを通じて物理階層にＰＲＡＣＨ送信過程を開始することを命令する[Ｓ１４３]。代案として、二番目のＲＡＣＨ過程と以後のＲＲＣＰＤＵ送信に対して、端末ＭＡＣ階層は連続性テストなしにまたは所定のバックオフ時間以後にＰＨＹ-ＡＣＣＥＳＳ-ＲＥＱプリミティブを通じてＰＲＡＣＨ送信過程を直ちに始めることを物理階層に指示することができる。
【００７０】
望ましくは、端末物理階層はＰＲＡＣＨ送信過程を開始する。この過程の間に、端末物理階層はＰＲＡＣＨプリアンブルを送る[Ｓ１４４]。一定時間の間にプリアンブルに対する回答が受信されない場合に、端末物理階層は送信電力を所定の水準に増加させた後前記プリアンブルを再び送る。
【００７１】
基地局(NodeB)がプリアンブルを受信したら、基地局(Node B)の物理階層はＡＩＣＨを通じてプリアンブルに回答する信号を送る[Ｓ１４５]。端末物理階層がＡＩＣＨを通じてプリアンブルに回答するＡＣＫを受信する場合に、端末物理階層はＰＨＹ-ＡＣＣＥＳＳ-ＣＮＦプリミティブを通じてプリアンブルのＡＣＫを端末ＭＡＣ階層に知らせてくれる[Ｓ１４６]。以後、端末ＭＡＣ階層は第２ＲＬＣＰＤＵを含んだＭＡＣ ＰＤＵをＰＨＹ-ＤＡＴＡ-ＲＥＱプリミティブを通じて端末物理階層に伝達する[Ｓ１４７]。続いて、端末は第２ＲＬＣ ＰＤＵを含んだＭＡＣ ＰＤＵをＰＲＡＣＨメッセージ部分を通じて基地局(NodeB)に送る[Ｓ１４８]。
【００７２】
基地局(NodeB)は受信されたＰＲＡＣＨメッセージのＣＲＣ(Cyclic Redundancy Check)などを遂行することで第２ＲＬＣ ＰＤＵを含んだＭＡＣ ＰＤＵが正確に受信されるかの可否を判断する。第２ＲＬＣＰＤＵを含んだＭＡＣ ＰＤＵが正確に受信された場合に、基地局(Node B)はＰＲＡＣＨメッセージ部分が正確に受信されたことを示すためにＭＳＧ-ＡＣＫチャンネルを通じてＡＣＫを端末に送る[Ｓ１４９]。第２ＲＬＣＰＤＵを含んだＭＡＣ ＰＤＵが不正確に受信される場合に、基地局(Node B)はＭＳＧ-ＡＣＫチャンネルを通じてＮＡＣＫを送るか、または該当接続スロットにどのような情報も送らない。
【００７３】
第２ＲＬＣ ＰＤＵを含んだＭＡＣ ＰＤＵが正確に受信される場合に、基地局(Node B)は第２ＲＬＣ ＰＤＵを含んだ成功的に受信されたＭＡＣ ＰＤＵをＲＡＣＨフレームプロトコル(ＲＡＣＨ ＦＰ)を通じてＲＮＣに伝達する。以後、ＭＡＣＰＤＵに含まれた第２ＲＬＣ ＰＤＵがＲＮＣのＲＬＣ階層に伝達する[Ｓ１５０]。よって、ＲＮＣのＲＬＣ階層は第１ＲＬＣ ＰＤＵ及び第２ＲＬＣ ＰＤＵから端末上位階層のＰＤＵを獲得する。
【００７４】
端末物理階層は、第２ＲＬＣ ＰＤＵを含んだＭＡＣ ＰＤＵが成功的に送信されたことをＰＨＹ-ＤＡＴＡ-ＣＮＦプリミティブを通じて端末ＭＡＣ階層に知らせてくれる[Ｓ１５１]。続いて、端末ＭＡＣ階層は第２ＲＬＣ ＰＤＵが成功的に送信されたことをＣＭＡＣ-ＳＴＡＴＵＳ-ＩＮＤプリミティブを通じて端末ＲＬＣ階層に知らせてくれる[Ｓ１５２]。
【００７５】
一方、ＲＮＣは特定接続スロット、シグナチャーのような特定コード、または特定ＴＣＴＦコーディング値のような特定ＭＡＣヘッダーコーディング値をＡＣＫを使用するＲＡＣＨの用途として指定することができる。よって、下のような方式で制限が設定されることができる。望ましくは、基地局(Node B)が本発明の一実施例による方法で特定接続スロット、コードまたはＭＡＣヘッダーコーディング値を受信したら、前記基地局(NodeB)はＭＳＧ-ＡＣＫチャンネルを通じてＡＣＫまたはＮＡＣＫを送ることができる。
【００７６】
望ましくは、メッセージのＡＣＫが必要な場合に、端末は特定接続スロット、特定コードまたは特定ＭＡＣヘッダーコーディング値を利用してＰＲＡＣＨを送る。この場合に、基地局は前記基地局が特定接続スロット、特定コードまたは特定ＭＡＣヘッダーコーディング値を利用して送信されたＰＲＡＣＨメッセージを受信する場合にＭＳＧ-ＡＣＫチャンネルを通じてＡＣＫまたはＮＡＣＫを送る。特定接続スロット、特定コードまたは特定ＭＡＣヘッダーコーディング値を利用する代りに他の接続スロット、コードまたはＭＡＣヘッダーコーディング値を利用して送信されたＰＲＡＣＨメッセージを受信する場合には、前記基地局はＭＳＧ-ＡＣＫチャンネルを通じてＡＣＫまたはＮＡＣＫを送らない。
【００７７】
図８は、本発明の一実施例によるＲＡＣＨ設定方法の流れ図である。図８を参照すると、ＲＡＣＨ設定情報はＡＣＫを使用するＲＡＣＨを設定するための情報、ＡＩＣＨを設定するための情報及びＭＳＧ-ＡＣＫチャンネルを設定するための情報を含む。また、ＲＡＣＨ設定情報はチャンネル送信電力情報とチャンネル送信タイミング情報を含む。
【００７８】
図８を参照すると、ＲＮＣはCOMMON TRANSPORT CHANNEL SETUP REQUESTメッセージを基地局(Node B)に伝達することで、ＡＣＫを使用するＲＡＣＨを設定する[Ｓ１６１]。この過程で、基地局(NodeB)が特定接続スロット、特定コードまたは特定ＭＡＣヘッダーコーディング値を受信する場合に、前記ＲＮＣはＭＳＧ-ＡＣＫチャンネルを通じてＡＣＫまたはＮＡＣＫを送るように制限が加えられることができる。ＲＡＣＨ設定情報によって受信が終了された以後に、基地局(NodeB)はCOMMON TRANSPORT CHANNEL SETUP RESPONSEメッセージをＲＮＣに送る[Ｓ１６２]。
【００７９】
ＲＮＣのＲＲＣ階層は、システム情報ブロック(ＳＩＢ：System Information Block)内のＲＡＣＨ設定情報を含む。よって、ＳＩＢはＢＣＣＨを通じて端末に放送する[Ｓ１６３]。端末はＢＣＣＨを通じて送信されたＳＩＢを受信することでＲＡＣＨ設定情報を獲得する。望ましくは、ＳＩＢType５またはType６がＲＡＣＨ設定情報を送るために使用される。
【００８０】
その後、端末のＲＲＣ階層はＣＰＨＹ-ＲＬ-Ｓｅｔｕｐ-ＲＥＱプリミティブを通じてＲＡＣＨ設定情報によって物理チャンネルＰＲＡＣＨ送信を設定する[Ｓ１６４]。端末のＲＲＣ階層はＣＰＨＹ-ＴｒＣＨ-Ｃｏｎｆｉｇ-ＲＥＱプリミティブを通じてＲＡＣＨ設定情報によって送信チャンネルＲＡＣＨ送信を設定する[Ｓ１６５]。最後に、端末のＲＲＣ階層はＣＭＡＣ-Ｃｏｎｆｉｇ-ＲＥＱプリミティブを通じてＲＡＣＨ設定情報によって送信チャンネルＲＡＣＨ送信を設定する[Ｓ１６６]。
【００８１】
図９は、本発明の一実施例による第１ＰＲＡＣＨメッセージの再送信を示す流れ図である。図９を参照すると、端末のＲＲＣ階層はＲＬＣ-ＤＡＴＡ-ＲＥＱプリミティブを通じて先に送るＲＡＣＨメッセージに含まれる第１ＲＲＣ ＰＤＵをＲＬＣ階層に伝達する[Ｓ１７０]。続いて、ＲＬＣ階層は第１ＲＲＣＰＤＵからＲＬＣ ＰＤＵを生成して、ＭＡＣ-ＤＡＴＡ-ＲＥＱプリミティブを通じて前記ＲＬＣ ＰＤＵをＭＡＣ階層に伝達する[Ｓ１７１]。
【００８２】
ＭＡＣ階層はＲＡＣＨ過程を開始する。ＲＡＣＨ過程において、ＭＡＣ階層はＲＲＣ階層で設定した確率によって送信可否を決定する連続性テストを少なくとも一回以上遂行する。望ましくは、ＭＡＣ階層は所定の時間が経った以後にＰＨＹ-ＡＣＣＥＳＳ-ＲＥＱプリミティブを通じて物理階層にＰＲＡＣＨ送信過程を開始することを指示する[Ｓ１７２]。
【００８３】
端末の物理階層はＰＲＡＣＨ送信過程を開始する。この過程の間に、物理階層はＰＲＡＣＨプリアンブルを基地局(Node B)に送る[Ｓ１７３]。基地局からプリアンブルに対する回答が一定時間の間にない場合に、物理階層は送信電力を所定の水準に増加させた後もう一度プリアンブルを送る。
【００８４】
基地局がプリアンブルを受信する場合に、基地局の物理階層はプリアンブルに回答する信号をＡＩＣＨを通じて送る[Ｓ１７４]。端末がＡＩＣＨを通じてプリアンブルに回答するＡＣＫを受信したら、端末の物理階層はプリアンブルのＡＣＫをＰＨＹ-ＡＣＣＥＳＳ-ＣＮＦプリミティブを通じて端末ＭＡＣ階層に知らせてくれる[Ｓ１７５]。よって、端末ＭＡＣ階層は第１ＲＲＣＰＤＵを含んだＭＡＣ ＰＤＵをＰＨＹ-ＤＡＴＡ-ＲＥＱプリミティブを通じて端末物理階層に伝達する[Ｓ１７６]。以後、端末はＰＲＡＣＨメッセージ部分を通じて第１ＲＲＣＰＤＵを含んだＭＡＣ ＰＤＵを基地局(Node B)に送る[Ｓ１７７]。
【００８５】
基地局(NodeB)は受信されたＰＲＡＣＨメッセージのＣＲＣ(Cyclic Redundancy Check)などを遂行することで、第１ＲＲＣ ＰＤＵを含んだＭＡＣ ＰＤＵが正確に受信されるかの可否を判断する。第１ＲＲＣＰＤＵを含んだＭＡＣ ＰＤＵが不正確に受信される場合に、基地局(Node B)はＭＳＧ-ＡＣＫチャンネルを通じてＮＡＣＫを送るか、または該当接続スロットにどのような情報も送らない[Ｓ１７８]。
【００８６】
ＭＳＧ-ＡＣＫチャンネルを通じてＮＡＣＫが受信されないか、またはＭＳＧ-ＡＣＫチャンネルを通じてＡＣＫまたはＮＡＣＫが該当接続スロットに対して受信されなかったら、端末物理階層はＰＨＹ-ＤＡＴＡ-ＣＮＦプリミティブを通じて第１ＲＲＣＰＤＵを含んだＭＡＣ ＰＤＵが成功的に送信されなかったことを端末ＭＡＣ階層に知らせてくれる[Ｓ１７９]。
【００８７】
端末はＭＳＧ-ＡＣＫチャンネルを通じてＮＡＣＫが受信される場合とどのような種類の回答もＭＳＧ-ＡＣＫチャンネルを通じて受信されない場合を区別することで異なるように作動することができる。望ましくは、端末がＮＡＣＫを受信する場合に、端末物理階層はＮＡＣＫが受信されたことをＭＡＣ階層に知らせてくれる。よって、端末ＭＡＣ階層はＮＡＣＫに該当するバックオフ時間の間に送信を延期して図９のＳ１８２段階から実施する。
【００８８】
端末がどのような回答も受信することができなかったら、端末物理階層はバックオフ時間の間に送信を延期して図９のＳ１８３段階から実施する。代案として、端末がどのような回答も受信することができない場合に、端末物理階層は回答が受信されなかったことをＭＡＣ階層に知らせる。続いて、端末ＭＡＣ階層はバックオフ時間の間に送信を延期してＳ１８２段階から実施する。
【００８９】
望ましくは、端末ＭＡＣ階層は第１ＲＲＣ ＰＤＵが成功的に送信されなかったことをＣＭＡＣ-ＳＴＡＴＵＳ-ＩＮＤプリミティブを通じて端末ＲＲＣ階層に知らせてくれて再送信を要請する[Ｓ１８０]。端末ＲＲＣ階層はＲＬＣ-ＤＡＴＡ-ＲＥＱプリミティブを通じて第１ＲＲＣＰＤＵを端末ＲＬＣ階層に再送信する[Ｓ１８１]。
【００９０】
端末ＲＣＬ階層は第２ＲＲＣ ＰＤＵから第２ＲＬＣ ＰＤＵを生成して前記第２ＲＬＣＰＤＵをＭＡＣ-ＤＡＴＡ-ＲＥＱプリミティブを通じて端末ＭＡＣ階層に伝達する[Ｓ１８２]。しかし、端末ＲＬＣ階層または端末ＭＡＣ階層が以前に送信された第１ＲＲＣＰＤＵを保存している場合、端末はＳ１８１段階及びＳ１８２段階を飛ばすことができる。
【００９１】
端末ＭＡＣ階層はＲＡＣＨ過程を開始する。この過程の間に、端末ＭＡＣ階層はＲＲＣ階層で設定された確率によって送信可否を決定する連続性テストを一回以上実施する。端末ＭＡＣ階層は所定の時間が経った以後にＰＨＹ-ＡＣＣＥＳＳ-ＲＥＱプリミティブを通じて物理階層にＰＲＡＣＨ送信過程を開始することを指示する[Ｓ１８３]。または、二番目のＲＡＣＨ過程と以後のＲＡＣＨ送信に対して、端末ＭＡＣ階層は連続性テストなしに、または所定のバックオフ時間以後にＰＨＹ-ＡＣＣＥＳＳ-ＲＥＱプリミティブを通じてＰＲＡＣＨ送信過程を直ちに始めることを物理階層に指示することができる。
【００９２】
端末物理階層はＰＲＡＣＨ送信過程を開始する。したがって、端末物理階層はＰＲＡＣＨプリアンブルを送る[Ｓ１８４]。一定時間の間にプリアンブルに対する回答が受信されない場合に、端末物理階層は送信電力を所定の水準に増加させてもう一度前記プリアンブルを送る。
【００９３】
基地局(NodeB)がプリアンブルを受信する場合に、基地局(Node B)の物理階層はＡＩＣＨを通じてプリアンブルに回答する信号を送る[Ｓ１８５]。端末がＡＩＣＨを通じてプリアンブルに回答するＡＣＫを受信する場合に、端末の物理階層はＰＨＹ-ＡＣＣＥＳＳ-ＣＮＦプリミティブを通じてプリアンブルのＡＣＫを端末ＭＡＣ階層に知らせてくれる[Ｓ１８６]。以後、端末ＭＡＣ階層は第１ＲＲＣＰＤＵを含んだＭＡＣ ＰＤＵをＰＨＹ-ＤＡＴＡ-ＲＥＱプリミティブを通じて端末物理階層に伝達する[Ｓ１８８]。
【００９４】
基地局(NodeB)は受信されたＰＲＡＣＨメッセージのＣＲＣ(Cyclic Redundancy Check)などを遂行することで第１ＲＲＣ ＰＤＵを含んだＭＡＣ ＰＤＵが正確に受信されるかの可否を判断する。第１ＲＲＣＰＤＵを含んだＭＡＣ ＰＤＵが正確に受信された場合に、基地局(Node B)はＰＲＡＣＨメッセージ部分が正確に受信されたことを示すためにＭＳＧ-ＡＣＫチャンネルを通じてＡＣＫを端末に送る[Ｓ１８９]。第２ＲＲＣＰＤＵを含んだＭＡＣ ＰＤＵが正確に受信されることができなかった場合に、基地局(Node B)はＭＳＧ-ＡＣＫチャンネルを通じてＮＡＣＫを送るか、または該当接続スロットにどのような情報も送らない。
【００９５】
第１ＲＲＣ ＰＤＵを含んだＭＡＣ ＰＤＵが正確に受信された場合に、基地局(Node B)は第１ＲＲＣ ＰＤＵを含んだ成功的に受信されたＭＡＣ ＰＤＵをＲＡＣＨフレームプロトコル(ＲＡＣＨ ＦＰ)を通じてＲＮＣに伝達する[Ｓ１９０]。以後、ＭＡＣＰＤＵに含まれた第１ＲＲＣ ＰＤＵがＲＮＣのＲＲＣ階層に伝達する。
【００９６】
以後、端末物理階層は第１ＲＲＣ ＰＤＵを含んだＭＡＣＰＤＵが成功的に送信されたことをＰＨＹ-ＤＡＴＡ-ＣＮＦプリミティブを通じて端末ＭＡＣ階層に知らせてくれる[Ｓ１９１]。続いて、端末ＭＡＣ階層は第１ＲＲＣＰＤＵが成功的に送信されたことをＣＭＡＣ-ＳＴＡＴＵＳ-ＩＮＤプリミティブを通じて端末ＲＲＣ階層に知らせてくれる[Ｓ１９２]。
【００９７】
図１０は、本発明の一実施例による第１ＰＲＡＣＨメッセージの再送信を示す流れ図である。望ましくは、図１０に示す実施例は下の再送信に類似に適用可能である。
【００９８】
図１０を参照すると、端末ＲＬＣ階層はＲＬＣ ＰＤＵを生成してＭＡＣ-ＤＡＴＡ-ＲＥＱプリミティブを通じて端末のＭＡＣ階層に前記ＲＬＣ ＰＤＵを伝達する[Ｓ２０１]。端末ＭＡＣ階層はＲＡＣＨ過程を開始する。この過程の間に、端末ＭＡＣ階層はＲＲＣ階層で設定された確率によって送信可否を決定する連続性テストを一回以上実施する。望ましくは、端末ＭＡＣ階層は所定の時間が経った以後にＰＨＹ-ＡＣＣＥＳＳ-ＲＥＱプリミティブを通じて物理階層にＰＲＡＣＨ送信過程を開始することを指示する[Ｓ２０２]。
【００９９】
端末物理階層はＰＲＡＣＨ送信過程を開始する。この過程の間、物理階層はＰＲＡＣＨプリアンブルを基地局(Node B)に送る[Ｓ２０３]。端末が一定時間の間基地局からプリアンブルに対する回答が受信しない場合に、端末物理階層は送信電力を所定の水準に増加させてもう一度前記プリアンブルを送る。
【０１００】
基地局(NodeB)がプリアンブルを受信する場合に、基地局の物理階層はＡＩＣＨを通じてプリアンブルに回答する信号を送る[Ｓ２０４]。端末がＡＩＣＨを通じてプリアンブルに回答するＡＣＫを受信する場合に、端末の物理階層はＰＨＹ-ＡＣＣＥＳＳ-ＣＮＦプリミティブを通じてプリアンブルのＡＣＫを端末ＭＡＣ階層に知らせてくれる[Ｓ２０５]。以後、端末ＭＡＣ階層は第１ＲＬＣＰＤＵを含んだＭＡＣ ＰＤＵをＰＨＹ-ＤＡＴＡ-ＲＥＱプリミティブを通じて端末物理階層に伝達する[Ｓ２０６]。以後、端末はＰＲＡＣＨメッセージ部分を通じて第１ＲＬＣＰＤＵを含んだＭＡＣ ＰＤＵを基地局に送る[Ｓ２０７]。
【０１０１】
基地局(NodeB)は受信されたＰＲＡＣＨメッセージのＣＲＣ(Cyclic Redundancy Check)などを遂行することで第１ＲＬＣ ＰＤＵを含んだＭＡＣ ＰＤＵが正確に受信されるかの可否を判断する。第１ＲＬＣＰＤＵを含んだＭＡＣ ＰＤＵが正確に受信されることができない場合に、基地局(Node B)はＭＳＧ-ＡＣＫチャンネルを通じてＮＡＣＫを送るか、または該当接続スロットにどのような情報も送らない[Ｓ２０８]。
【０１０２】
端末がＭＳＧ-ＡＣＫチャンネルを通じてＮＡＣＫを受信するか、または端末がＭＳＧ-ＡＣＫチャンネルを通じてＡＣＫまたはＮＡＣＫを該当接続スロットの間に受信しなかったら、端末物理階層はＰＨＹ-ＤＡＴＡ-ＣＮＦプリミティブを通じて第１ＲＬＣＰＤＵを含んだＭＡＣ ＰＤＵが成功的に送信されなかったことを端末ＭＡＣ階層に知らせてくれる[Ｓ２０９]。
【０１０３】
一方、端末はＭＳＧ-ＡＣＫチャンネルを通じてＮＡＣＫが受信される場合とどのような種類の回答もＭＳＧ-ＡＣＫチャンネルを通じて受信されない場合を区別することで異なるように作動することができる。望ましくは、端末がＮＡＣＫを受信する場合に、端末物理階層はＮＡＣＫが受信されたことをＭＡＣ階層に知らせてくれる。よって、端末ＭＡＣ階層はＮＡＣＫに該当するバックオフ時間の間に送信を延期してＳ２１２段階から実施する。
【０１０４】
端末がどのような回答も受信することができなかったら、端末物理階層はバックオフ時間の間に送信を延期してＳ２１３段階から実施する。代案として、端末がどのような回答も受信することができない場合に、端末物理階層は回答が受信されなかったことをＭＡＣ階層に知らせる。続いて、端末ＭＡＣ階層はバックオフ時間の間に送信を延期してＳ２１２段階から実施する。
【０１０５】
端末ＭＡＣ階層は第１ＲＬＣ ＰＤＵが成功的に送信されなかったことをＭＡＣ-ＳＴＡＴＵＳ-ＩＮＤプリミティブを通じて端末ＲＬＣ階層に知らせてくれて再送信を要請する[Ｓ２１０]。端末ＲＬＣ階層は第１ＲＬＣ ＰＤＵをＭＡＣ-ＤＡＴＡ-ＲＥＱプリミティブを通じて端末ＭＡＣ階層に伝達する[Ｓ２１１]。しかし、端末ＭＡＣ階層が以前に送信された第１ＲＬＣＰＤＵを保存している場合には、端末がＳ２１０及びＳ２１１段階を遂行しない。
【０１０６】
端末ＭＡＣ階層はＲＡＣＨ過程を開始する。この過程の間に、端末ＭＡＣ階層はＲＲＣ階層で設定された確率によって送信可否を決定する連続性テストを一回以上実施する。端末ＭＡＣ階層は所定の時間が経った以後にＰＨＹ-ＡＣＣＥＳＳ-ＲＥＱプリミティブを通じて物理階層にＰＲＡＣＨ送信過程を開始することを指示する[Ｓ２１２]。または、二番目のＲＡＣＨ過程と以後のＲＡＣＨ送信に対して、端末ＭＡＣ階層は連続性テストなしにまたは所定のバックオフ時間以後にＰＨＹ-ＡＣＣＥＳＳ-ＲＥＱプリミティブを通じてＰＲＡＣＨ送信過程を直ちに始めることを物理階層に指示することができる。
【０１０７】
端末物理階層はＰＲＡＣＨ送信過程を開始する。過程の間に、端末物理階層はＰＲＡＣＨプリアンブルを送る[Ｓ２１３]。端末が一定時間の間にプリアンブルに対する回答を受信することができない場合に、端末物理階層は送信電力を所定の水準に増加させてもう一度前記プリアンブルを送る。
【０１０８】
基地局(NodeB)がプリアンブルを受信する場合に、基地局(Node B)の物理階層はＡＩＣＨを通じてプリアンブルに回答する信号を送る[Ｓ２１４]。端末がＡＩＣＨを通じてプリアンブルに回答するＡＣＫを受信する場合に、端末の物理階層はＰＨＹ-ＡＣＣＥＳＳ-ＣＮＦプリミティブを通じてプリアンブルのＡＣＫを端末ＭＡＣ階層に知らせてくれる[Ｓ２１５]。以後、端末ＭＡＣ階層は第１ＲＬＣＰＤＵを含んだＭＡＣ ＰＤＵをＰＨＹ-ＤＡＴＡ-ＲＥＱプリミティブを通じて端末物理階層に伝達する[Ｓ２１７]。以後、端末は第１ＲＬＣ ＰＤＵを含んだＭＡＣ ＰＤＵをＰＲＡＣＨメッセージ部分を通じて基地局(NodeB)に送る[Ｓ２１７]。
【０１０９】
基地局(NodeB)は受信されたＰＲＡＣＨメッセージのＣＲＣ(Cyclic Redundancy Check)などを遂行することで第１ＲＬＣ ＰＤＵを含んだＭＡＣ ＰＤＵが正確に受信されるかの可否を判断する。第１ＲＬＣＰＤＵを含んだＭＡＣ ＰＤＵが正確に受信された場合に、基地局(Node B)はＰＲＡＣＨメッセージ部分が正確に受信されたことを示すためにＭＳＧ-ＡＣＫチャンネルを通じてＡＣＫを端末に送る[Ｓ２１８]。第２ＲＬＣＰＤＵを含んだＭＡＣ ＰＤＵが正確に受信されることができなかった場合に、基地局(Node B)はＭＳＧ-ＡＣＫチャンネルを通じてＮＡＣＫを送るか、または該当接続スロットにどのような情報も送らない。
【０１１０】
第１ＲＬＣ ＰＤＵを含んだＭＡＣ ＰＤＵが正確に受信された場合に、基地局(Node B)は第１ＲＬＣ ＰＤＵを含んだ成功的に受信されたＭＡＣ ＰＤＵをＲＡＣＨフレームプロトコル(ＲＡＣＨ ＦＰ)を通じてＲＮＣに伝達する[Ｓ２１９]。以後、ＭＡＣＰＤＵに含まれた第１ＲＬＣ ＰＤＵがＲＮＣのＲＬＣ階層に伝達する。
【０１１１】
望ましくは、端末物理階層は第１ＲＬＣ ＰＤＵを含んだＭＡＣＰＤＵが成功的に送信されたことをＰＨＹ-ＤＡＴＡ-ＣＮＦプリミティブを通じて端末ＭＡＣ階層に知らせてくれる[Ｓ２２０]。続いて、端末ＭＡＣ階層は第１ＲＬＣＰＤＵが成功的に送信されたことをＣＭＡＣ-ＳＴＡＴＵＳ-ＩＮＤプリミティブを通じて端末ＲＬＣ階層に知らせてくれる[Ｓ２２１]。
【０１１２】
図１１は、本発明の一実施例によってＲＲＣ連結要請メッセージと端末のＩＤＴメッセージを送るための方法を示す流れ図である。望ましくは、本発明によるＲＡＣＨ送信を利用することで、端末はＲＲＣ連結を要請するためのＲＲＣ連結要請メッセージと信号連結を要請するためのＩＤＴメッセージを共に送ることができる。ＩＤＴメッセージに含まれたメッセージは、例えば位置更新要請、通信管理サービス要請、経路領域更新要請及びサービス要請のうちで一つ以上であることがある。
【０１１３】
図１１を参照すると、端末は前述したＲＡＣＨ過程を利用してＲＲＣ連結要請メッセージとＩＤＴメッセージすべてをＵＴＲＡＮに送る[Ｓ２３１]。例えば、ＲＲＣ連結要請メッセージは図６に示す実施例の第１ＲＲＣメッセージに該当して、ＩＤＴメッセージは図６に示す実施例の第２ＲＲＣメッセージに該当することができる。望ましくは、ＵＴＲＡＮがＩＤＴメッセージをＲＲＣ連結要請メッセージと連結するようにするために、ＩＤＴメッセージは同一な最初端末識別子(Identifier)に送信されて、ＲＲＣ連結要請メッセージの暫定適用で送信される。
【０１１４】
ＩＤＴメッセージを受信したＵＴＲＡＮは受信されたＩＤＴメッセージを利用してＩＮＩＴＩＡＬ  ＵＥメッセージをＣＮに伝達する。以後、ＵＴＲＡＮはＦＡＣＨを利用してＲＲＣ連結要請メッセージに対する回答としてＲＲＣ連結要請メッセージを端末に送る[Ｓ２３２]。続いて、端末は専用チャンネル(ＤＣＨ)を設定して、前記ＤＣＨを利用してＲＲＣ連結設定完了メッセージをＵＴＲＡＮに送る[Ｓ２３３]。
【０１１５】
図１２は、本発明の望ましい実施例らによるＭＳＧ-ＡＣＫチャンネルのダイヤグラムである。図１２を参照すると、一つの接続チャンネルに対して、ＭＳＧ-ＡＣＫチャンネルは１０２４チップ領域を使用してＡＩＣＨ送信は４０９６チップ領域を使用する。望ましくは、ＡＩＣＨチャンネルはＭＳＧ-ＡＣＫチャンネルのスクランブリングコードとチャンネルコードを使用する。望ましくは、一つのＰＲＡＣＨメッセージに対する肯定回答ＡＣＫが送信される場合に、ＭＳＧ-ＡＣＫはＰＲＡＣＨメッセージのためのＰＲＡＣＨプリアンブルに該当するコードとシグナチャーを利用して送信される。
【０１１６】
図１３は、本発明の一実施例による物理チャンネルＰＲＡＣＨを送るための方法を示すダイヤグラムである。図１３を参照すると、一つのＰＲＡＣＨメッセージを送った以後に、端末はＰＲＡＣＨ送信に対応する接続スロットの間にＭＳＧ-ＡＣＫチャンネルを通じて送信されるＡＣＫまたはＮＡＣＫ回答を待つ。
【０１１７】
ＭＳＧ-ＡＣＫチャンネルを通じてＡＣＫが送信されると、端末は次のＰＲＡＣＨメッセージ送信のためのプリアンブルを送る。ＡＩＣＨを通じて肯定回答が受信されると、端末は次のＰＲＡＣＨメッセージを送る。ここで、前記次のＰＲＡＣＨメッセージが最終メッセージであって、前記次のＰＲＡＣＨメッセージ送信に対応する接続スロットの間にＭＳＧ-ＡＣＫチャンネルを通じてＡＣＫが受信される場合に、端末の物理階層はＰＲＡＣＨ送信を終了して、端末のＭＡＣ階層にＭＳＧ-ＡＣＫチャンネルを通じて受信したＡＣＫを知らせる。一方、ＮＡＣＫが次のＰＲＡＣＨメッセージ送信に対応する接続スロットの間にＭＳＧ-ＡＣＫチャンネルを通じてＡＣＫが受信されるか、または何も受信されなかったら、端末は前記次のＰＲＡＣＨメッセージを再送信するためにプリアンブルを再び送る。
【０１１８】
一つのＰＲＡＣＨメッセージの再送信過程は、ＭＳＧ-ＡＣＫチャンネルからＡＣＫが受信されるまで遂行されるか、ＲＲＣ階層からＭＡＣ階層または物理階層に送った最大メッセージ再送信回数程度繰り返される。最大メッセージの再送信回数は図８のＲＡＣＨ設定情報に含まれることができる。
【０１１９】
図１４は、本発明の他の実施例によってＲＲＣ連結要請メッセージと端末のＩＤＴメッセージを送るための方法を示す流れ図である。
【０１２０】
図１４を参照すると、端末はＲＲＣ連結を要請するためのＲＲＣ連結要請メッセージと信号連結を要請(例えば、ＣＭサービス要請)するための初期ＩＤＴメッセージを共通制御チャンネル(ＣＣＣＨ)を利用してＵＴＲＡＮに送る[Ｓ３０２]。この時、ＲＲＣ連結要請メッセージはＵＴＲＡＮによって正確に受信される。よって、ＵＴＲＡＮはＣＣＣＨを通じて端末のＲＲＣ連結要請メッセージに回答するＲＲＣ連結設定メッセージ端末に送るであろう[Ｓ３０３]。
【０１２１】
望ましくは、ＲＲＣ連結設定メッセージは初期ＩＤＴメッセージの正確なまたは不正確な受信を示すためにＵＴＲＡＮによって使用されることができる。初期ＩＤＴメッセージがＵＴＲＡＮによって正確に受信されると、初期ＩＤＴメッセージのＡＣＫは端末に送信されたＲＲＣ連結設定メッセージに含まれる。しかし、初期ＩＤＴメッセージがＵＴＲＡＮによって不正確に受信されると、初期ＩＤＴメッセージのＮＡＣＫが端末に送信されたＲＲＣ連結設定メッセージに含まれる[Ｓ３０２、Ｓ３０３]。
【０１２２】
特にまた、端末が初期ＩＤＴメッセージのＮＡＣＫを受信する場合に、端末は初期ＩＤＴの送信を直ちに中断して、専用制御チャンネル(ＤＣＣＨ)を利用してＲＲＣ連結設定完了メッセージの送信を始める。以後、端末はＤＣＣＨを利用して核心網(ＣＮ)に正常ＩＤＴメッセージを送る[Ｓ３０５]。
【０１２３】
特に、ＲＲＣ連結要請メッセージを受信した以後に、ＵＴＲＡＮは初期ＩＤＴメッセージを受信することを待つ必要がない。ＲＲＣ連結設定メッセージを送る前にＣＣＣＨ上で初期ＩＤＴメッセージを受信しなかったら、ＵＴＲＡＮは初期ＩＤＴメッセージが受信されない(初期ＩＤＴメッセージのＮＡＣＫ)がＲＲＣ連結設定メッセージで示す。よって、ＲＲＣ連結設定メッセージを送った以後にＵＴＲＡＮが初期ＩＤＴメッセージをＣＣＣＨで以後に受信する場合にも、ＵＴＲＡＮは以後受信された初期ＩＤＴメッセージを無視するであろう。
【０１２４】
本発明の一態様において、初期ＩＤＴメッセージがＵＴＲＡＮに成功的に送信されるうちにＲＲＣ連結要請メッセージが成功的に送信されなかったら、端末は所定の時間が経た以後にＲＲＣ連結要請メッセージを再送信する。望ましくは、端末は初期ＩＤＴメッセージの以前の成功的な送信に構わずにＲＲＣ連結要請メッセージと初期ＩＤＴメッセージすべてを送る。
【０１２５】
したがって、ＵＴＲＡＮはＲＲＣ連結要請メッセージを成功的に受信する前に受信された任意の初期ＩＤＴメッセージを無視する。
【０１２６】
本発明の他の態様において、ＲＲＣ連結要請メッセージと初期ＩＤＴメッセージすべてがＵＴＲＡＮに成功的に送信されない場合に、端末は所定の時間が経た以後にＲＲＣ連結要請メッセージと初期ＩＤＴメッセージすべてを再送信する。
【０１２７】
本発明のまた他の態様において、ＲＲＣ連結要請メッセージを送った以後に端末がセル再選択を遂行したら、端末はＲＲＣ連結要請メッセージを再送信する。このような端末作動はＲＲＣ連結要請メッセージと後続初期ＩＤＴメッセージを送った以後に端末がセル再選択を遂行する場合に適用する。よって、ＲＲＣ連結要請メッセージと後続初期ＩＤＴメッセージを送った以後に端末がセル再選択を遂行したら、端末は前記端末が両メッセージすべてが成功的に遂行されるか、それとも再選択されたセルが以前に選択されたセルを制御する同一なＣＲＮＣによって制御されるかの可否が分かることができないので、ＲＲＣ連結要請メッセージと初期ＩＤＴメッセージをもう一度送る。また、セル再選択の場合において、ＵＴＲＡＮのＲＮＣは初期ＩＤＴメッセージがセル再選択された以前に既にＣＮに送信されたら、ＲＲＣ連結設定完了メッセージが端末から成功的に受信されるまで第１ＮＡＳを送ることを延期する。
【０１２８】
したがって、本発明の次のような效果または長所を提供する。先ず、無線端末は共通チャンネルを通じてプリアンブルと第１メッセージを上向きに送ってネットワークから受信された下向き回答信号によって共通チャンネルを通じて第２メッセージを上向きに送るか、または前記第１メッセージを再送信する。よって、無線端末は共通アップリンクチャンネルを通じて適切な送信電力を有する長い長さのメッセージを送ることができる。次に、端末がアップリンク共通チャンネルを通じてメッセージを送る場合に、基地局(Node B)は前記メッセージに速かに回答することができる。
【０１２９】
図１５を参照すると、本発明の移動通信装置４００のブロックダイアグラムが示されて、前記移動通信装置は例えば本発明の方法らを遂行するための移動電話である。移動通信装置４００はマイクロプロセッサーまたはデジタル信号プロセッサのような処理処置４１０と;ＲＦモジュール４３５と;電力管理モジュール４０６と;アンテナ４４０と;バッテリー４５５と;ディスプレイ４１５と;キーパッド４２０と;フラッシュメモリー、ＲＯＭまたはＳＲＡＭのような保存装置４３０と;スピーカー４４５と;マイク４５０と、を含む。
【０１３０】
使用者はキーパッド４２０のボタンを押すか、またはマイク４５０を使用して音声を活性化することで電話番号のような指示情報を入力する。処理処置４１０は電話番号をダイヤリングすることのような適切な機能を遂行するために前記指示情報を受信して処理する。作動データは機能を遂行するために保存装置４３０から検索される。また、処理処置４１０は使用者の便宜のためにディスプレイ４１５に前記指示情報及び作動情報を表示する。
【０１３１】
処理処置４１０は、例えば音声通信データを含んだ無線信号を送ることのように通信を始めるためにＲＦモジュール４３５に指示情報を送信する。ＲＦモジュール４３５は無線信号を送受信するために受信機と送信機を含む。アンテナ４４０は無線信号の送受信を容易にする。無線信号を受信するやいなや、ＲＦモジュール４３５は処理処置４１０によって処理するために信号を基底帯域周波数にポウォディングして変換することができる。処理された信号は、例えばスピーカー４４５を通じて出力される可聴情報または可視情報に変換されるであろう。
【０１３２】
処理処置４１０は上位階層から第１及び第２データを受信して、ネットワークに送信される前記第１及び第２データと関連される第１及び第２データブロックを生成するように構成される。また、処理処置４１０は前記第１及び第２データブロックをネットワークに送るためにＲＦモジュール４３５の送信機を制御するように構成される。ＲＦモジュール４３５の受信機はネットワークから信号を受信するように構成される。
【０１３３】
本発明の実施例は、移動通信を参照にして記述される。しかし、本発明の技術的特徴は無線通信機能を搭載したＰＤＡまたはノートブックのような無線通信システムにも適用可能である。本発明を記述するのに使用された用語はＵＭＴＳのような無線通信システムの範囲に限定されない。本発明はＴＤＭＡ、ＣＤＭＡ、ＦＤＭＡのような他の無線インターフェース及び物理階層を使用する無線通信システムにも適用可能である。
【０１３４】
本発明の技術的特徴は、ソフトウェア、ファームウエア、ハードウェアまたは前記ソフトウェア、ファームウエア及び/またはハードウェアの組合で遂行されることができる。特に、本発明の内容はハードウェアでコード、回路チップ及びＡＳＩＣのようなハードウェアロジッグを利用して具現されることができるか、またはコンピュータープログラミング言語を利用してハードディスク、プロッピィーディスクあるいはテープまたは光ストレージ、ＲＯＭまたはＲＡＭで具現されることができる。コンピューターで判読可能な媒体に保存されたコードは、プロセッサによって接近可能で遂行されることができる。
【０１３５】
本発明の内容を具現するコードは送信媒体を通じて接近可能であるか、またはネットワーク上のファイルサーバーを通じて接近可能である。コードが具現された装置はネットワーク送信ラインのような有線送信媒体、無線送信媒体、信号送信、無線信号、または赤外線信号を含むように構成されることができる。
【０１３６】
前述した実施例と長所らは単純に例示的なものであって、本発明を限定しない。本発明はその他の類型の装置にも適用されることができる。本発明の記載は例示的なものであって、請求項の範囲を制限するためのものではない。多くの変形、改造及び変形例が当技術分野の当業者に明確である。請求項において、機能式文章は前述した機能と構造的同等物だけではなく、同等構造を遂行する構造を包括するためである。
【産業上の利用可能性】
【０１３７】
本発明は、広帯域無線接続システム、移動接続システム及び移動通信システムなどのような無線通信システムに適用可能である。
【図面の簡単な説明】
【０１３８】
【図１】汎用移動通信システム(ＵＭＴＳ)のネットワーク構造のブロックダイアグラムである。
【図２】３ＧＰＰ無線接続網規格を基盤にした端末とＵＴＲＡＮとの間の無線インターフェースプロトコルの構造ダイヤグラムである。
【図３】ＲＲＣ連結のために端末とＲＮＣとの間に交換されるメッセージの送信と信号連結のためのＩＤＥメッセージ送信過程の流れ図である。
【図４】従来技術による物理チャンネルＰＲＡＣＨの送信方式を示すダイヤグラムである。
【図５】従来技術による下向き物理チャンネルＡＩＣＨの構造ダイヤグラムである。
【図６】本発明の一実施例によるメッセージを通信するための方法を示す流れ図である。
【図７】本発明の一実施例によるメッセージを通信するための方法を示す流れ図である。
【図８】本発明の一実施例によるＲＡＣＨ設定方式の流れ図である。
【図９】本発明の一実施例による第１ＰＲＡＣＨメッセージの再送信を示す流れ図である。
【図１０】本発明の一実施例による第１ＰＲＡＣＨメッセージの再送信を示す流れ図である。
【図１１】本発明の一実施例によってＲＲＣ連結要請メッセージと端末のＩＤＥメッセージを送るための方法を示す流れ図である。
【図１２】本発明の望ましい実施例らによるＭＳＧ-ＡＣＫチャンネルのダイヤグラムである。
【図１３】本発明の一実施例による物理チャンネルＰＲＡＣＨを送るための方法を示すダイヤグラムである。
【図１４】図１４は本発明の他の実施例によってＲＲＣ連結要請メッセージと端末のＩＤＥメッセージを送るための方法を示す流れ図である。
【図１５】本発明の望ましい実施例らによる移動通信装置のブロックダイアグラムを示す。
【符号の説明】
【０１３９】
４００  移動通信装置
４０６  電力管理モジュール
４１０  処理処置
４１５  ディスプレイ
４２０  キーパッド
４３０  保存装置
４３５  ＲＦモジュール
４４０  アンテナ
４４５  スピーカー
４５０  マイク
４５５  バッテリー
【図１】
2009506623.tif 000003
【図２】
2009506623.tif 000004
【図３】
2009506623.tif 000005
【図４】
2009506623.tif 000006
【図５】
2009506623.tif 000007
【図６】
2009506623.tif 000008
【図７】
2009506623.tif 000009
【図８】
2009506623.tif 000010
【図９】
2009506623.tif 000011
【図１０】
2009506623.tif 000012
【図１１】
2009506623.tif 000013
【図１２】
2009506623.tif 000014
【図１３】
2009506623.tif 000015
【図１４】
2009506623.tif 000016
【図１５】
2009506623.tif 000017
【国際調査報告】
2009506623.tif 000018
2009506623.tif 000019
2009506623.tif 000020